(57)【要約】      （修正有）【課題】衣服を重ね着する際に上位衣服を着用する際に下位衣服の袖がめくれるのを防ぐ袖カバーを提供する。【解決手段】略筒状の低摩擦生地よりなるカバー本体２と、カバー本体先方開口部４に設けられた連結部３により構成される親指通し部８及び他指通し部９と、先方開口部より先方に突出するように設けられたつまみ部６と、前記カバー本体後方開口部５に設けられた伸縮部７とより構成される。【選択図】図１
0003211610.tif 000002
【実用新案登録請求の範囲】
【請求項１】
略筒状の低摩擦性生地よりなり長袖あるいは七分袖の袖口から上腕部までを覆うカバー本体と、該カバー本体先方開口部に設けられた連結部により構成される親指通し部と、他指通し部と、前記先方開口部より先方に突出するように設けられたつまみ部と、前記カバー本体後方開口部に設けられた伸縮部とよりなる袖カバー。
【請求項２】
前記つまみ部がループ状になっていることを特長とする請求項１記載の袖カバー。
【考案の詳細な説明】
【技術分野】
【０００１】  本考案は、衣服を重ね着する際に上位衣服を着用する際に下位衣服の袖がめくれるのを防ぐ袖カバーに関する。
【背景技術】
【０００２】  特許文献１に示すように、袖をたくしあげその装着位置からのずり落ちを防止するとともに、水濡れを防止する袖カバー具があった。
【先行技術文献】
【特許文献】
【０００３】
【特許文献１】実用新案登録第３１６１２１３号
【考案の概要】
【考案が解決しようとする課題】
【０００４】  長袖あるいは七分袖の下着やシャツ、カーディガン等の上衣の上にシャツ、カーディガン、セーター、ジャケット、コート等の上衣を重ね着する場合、下位に装着した上衣の袖がめくれあがり、逐一手を入れて元の位置に戻したり、あらかじめ袖の先端を指でつまんだり、手で押さえて重ね着しなければいけなかった。【０００５】  幼児や高齢者、手あるいは腕に障害を持つ障害者が重ね着する際、健常者が協力する必要性があった。特に、高齢化が進行する環境において、高齢者は手首等の関節の柔軟性がかけたり、指を思い通りに動かせない場合が多々あり、健常者の協力が必要となる。そのため、健常者の社会的生産性が減退する状況を生みだしていた。
【課題を解決するための手段】
【０００６】  略筒状の低摩擦生地よりなり長袖あるいは七分袖の袖口から上腕部までを覆うカバー本体と、該カバー本体先方開口部に設けられた連結部により構成される親指通し部と、他指通し部と、前記先方開口部より先方に突出するように設けられたつまみ部と、前記カバー本体後方開口部に設けられた伸縮部とより構成される。【０００７】  前記つまみ部がループ状になっていることを特長とする。
【考案の効果】
【０００８】  本考案により、重ね着する際に極度の身体障害者を除き、幼児、高齢者、軽度障害者が第三者の協力を得ることなく、自身一人で袖がめくれることなく着衣することができる。
【図面の簡単な説明】
【０００９】
【図１】  本考案の第一実施形態の斜視図
【図２】  本考案の第一実施形態の使用説明図１
【図３】  本考案の第一実施形態の使用説明図２
【図４】  本考案の第一実施形態の使用説明図３
【図５】  本考案の第一実施形態の使用説明図４
【図６】  本考案の第一実施形態の使用説明図５
【図７】  本考案の第二実施形態の斜視図
【考案を実施するための形態】
【００１０】  以下、本考案の第一実施形態について図１をもちいて説明する。
図１は本考案の第一実施形態の斜視図である。
本考案はカバー本体２、連結部３、つまみ部６、伸縮部７、親指通し部８、他指通し部９より構成される。以下、本実施形態について説明するが、カバー本体２の開口部や筒状に縫製する際の縫製に関しては通常もちいられる技術を利用するため、その説明及び図示は省略する。
カバー本体２はポリエステル、キュプラ等の洋服の裏地等に使用される薄手の低摩擦性素材よりなり略筒状となっている。ここで、略筒状とは全体の幅が同一でもよいし、一方の端部に向けて幅が異なったり、中間部が幅広でもよく、下着、シャツ、カーディガン等の長袖あるいは七分袖の袖口から上腕部までを覆う長さ及び幅となっている。
カバー本体２の先方開口部４には縫着により連結部３となっている。この際、連結部により先方開口部４には二つの開口部が形成される。一方は、少なくとも親指が入る開口部が小さい親指通し部８となっており、他方は少なくとも親指以外の少なくとも小指が入る他指通し部９となっている。好ましくは親指通し部８は親指を入れた状態で若干の隙間があるものであることが好ましい。
本実施形態において、帯状の生地を折り返し両端部が全部連結部３の間に配置された状態で縫着されるつまみ部が設けられている。素材は限定されないが、コスト性からカバー本体２と同生地であることが望ましい。
カバー本体２の他方にある後方開口部５の端部は糸通し構造となっており、輪状に伸縮ゴムが設けられ伸縮部７となっている。これにより、開口部が伸縮可能となっている。
本考案は以上の構造よりなっている。
【００１１】  以下、本考案の第一実施形態の使用方法について図２乃至図６をもちいて説明する。
図２は本考案の第一実施形態の使用説明図１図３は本考案の第一実施形態の使用説明図２、図４は本考案の第一実施形態の使用説明図３、図５は本考案の第一実施形態の使用説明図４、図６は本考案の第一実施形態の使用説明図５である。
本考案は、長袖あるいは七分袖の下着やシャツ、カーディガン等の上衣の上にシャツ、カーディガン、セーター、ジャケット、コート等の上衣を重ね着する場合に、下位にある袖めくれを防止するものである。
図においては長袖の下着にシャツを着る状況における本考案の使用方法を例として説明する。上記構造説明において、一つの袖カバーについて説明した。本考案の目的に対し、一つの袖カバーでも目的を達成できるが、好ましくは一対で左右同時に使用することが好ましい。
本考案の使用説明においては左右一対の使用方法を説明するのが好ましいが、作用効果においては一方の説明で足りるため、左側のみに限定して説明する。
【００１２】  図２に示すように長袖下着１０を着た状態で図３に示すように本考案の袖カバー１の後方開口部５から左腕を通し、親指が親指通し部、人差し指から小指までを他指通し部９に通し、カバー本体２の後方開口部５を上腕部まであげる。この際、後方開口部５に設けられた伸縮部７により開口部が締め付けられ腕を下げてもカバー本体２が下方にずれ落ちることはない。
袖カバー１を装着した状態でシャツ１１の袖を通す。この際、袖カバー１が長袖下着１０の腕裾をカバーし、シャツ１１の動きの摩擦力により裾がずれ上げることを防止する。この際、長袖下着１０とシャツ１１の摩擦を低減させるため、シャツ１１の腕通しを容易にする。
図４に示すようにシャツ１１の腕を通し終わったら、図５に示すように装着側他方の右手でつまみ部６をつまみ、袖カバー１と取り外す方向へ引っ張る。手で引っ張る力により、袖カバー１が図６に示すように取り外される。
その動作において、袖カバー１が低摩擦性素材であるため、下位にある長袖下着１０及び上位にあるシャツ１１の各素材との摩擦を軽減し、用意に着脱することができる。
この動作において、伸縮部７が伸縮しながら移動するがその伸縮により下位の長袖下着１０の袖が指先方向に誘導され、シワ溜まりを取り除くため装着感のよい装着を実現する。
【００１３】  本実施形態の連結部に関して、上記説明では縫着手段にて説明したが、縫着にこだわらず、溶着、接着など通常もちいられる連結手段であればよい。さらには、面ファスナーやスナップ等による着脱可能な連結手段であってもよい。
【００１４】  伸縮部７に関して、糸通し構造と輪状ゴムで説明したが、全体に輪状にすることなく部分的にゴムを配置し両端部を縫着したものであってもよい。あわせて、ゴムを使用することなく、伸縮性糸によるシャーリング構造としてもよい。
【００１５】  以下、本考案の第一実施形態について図７をもちいて説明する。
図７は本考案の第二実施形態の斜視図である。
本実施形態において、つまみ部としてつまみ紐１２を使用したものである。
つまみ部７は帯状のものだけではなく、紐を利用することも可能であり、本実施形態においてはつまみ紐１２をカバー本体２の親指通し開口部側の端部にループ状に紐が縫着されている。
前記実施形態と同様にループ状となっていることで、取り外す際に指でつまむだけではなく、指先が不自由な人でも、操作側手の任意の指をこのループに通すことで取り外すことができる。
これにより、指先が不自由な人でも容易に取り外すことができる。
【符号の説明】
【００１６】１    袖カバー、
２    カバー本体、
３    連結部、
４    先方開口部、
５    後方開口部、
６    つまみ部、
７    伸縮部、
８    親指通し部、
９    他指通し部、
１０  長袖下着、
１１  シャツ、
１２  つまみ紐
【図１】
0003211610.tif 000003
【図２】
0003211610.tif 000004
【図３】
0003211610.tif 000005
【図４】
0003211610.tif 000006
【図５】
0003211610.tif 000007
【図６】
0003211610.tif 000008
【図７】
0003211610.tif 000009